(57)【特許請求の範囲】
【請求項１】
柱材と建物の躯体との接合部の施工方法であって、
前記躯体にベースプレートを設ける工程と、
前記躯体に設けたベースプレートに、躯体側リブプレートを接合する工程と、
前記柱材の端部に設けられた柱側リブプレートを前記躯体側リブプレートに重ねて配置する工程と、
前記躯体側リブプレートおよび前記柱側リブプレートの周囲にコンクリートを打設する工程と、
を具備し、
前記柱側リブプレートはＬ字状の切欠きを有し、
前記躯体側リブプレートは前記ベースプレート上に一対設けられ、前記躯体側リブプレートの間に棒材が通され、
前記柱側リブプレートを配置する際、前記棒材が前記柱側リブプレートの切欠き内に配置されることを特徴とする接合部の施工方法。
【請求項２】
前記柱側リブプレートを配置した後、前記柱材の位置が調整されることを特徴とする請求項１記載の接合部の施工方法。
【請求項３】
前記躯体は凹部を有し、
前記躯体にベースプレートを設ける際、前記凹部の上方で前記ベースプレートを所定の高さに調整した後、前記ベースプレートと前記凹部の間に充填材を充填することを特徴とする請求項１または請求項２に記載の接合部の施工方法。
【請求項４】
柱材と建物の躯体との接合部構造であって、
前記躯体にベースプレートが設けられ、
前記躯体に設けたベースプレートに、躯体側リブプレートが接合され、
前記柱材の端部に設けられた柱側リブプレートが前記躯体側リブプレートに重ねて配置され、
前記躯体側リブプレートおよび前記柱側リブプレートの周囲にコンクリートが打設され、
前記柱側リブプレートはＬ字状の切欠きを有し、
前記躯体側リブプレートは前記ベースプレート上に一対設けられ、前記躯体側リブプレートの間に棒材が通され、
前記棒材が前記柱側リブプレートの切欠き内に配置されたことを特徴とする接合部構造。
【発明の詳細な説明】
【技術分野】
【０００１】
本発明は、柱材と建物躯体の接合部の施工方法に関する。
【背景技術】
【０００２】
柱と建物躯体との接合部の施工方法として、柱の取付用部材と一体化したベースプレートを基礎コンクリートに固定し、柱の下端を取付用部材に取付けることにより、柱を基礎コンクリートに接合する方法がある（例えば、特許文献１、２参照）。
【先行技術文献】
【特許文献】
【０００３】
【特許文献１】特開2007-77612号公報
【特許文献２】特開2002-115339号公報
【発明の概要】
【発明が解決しようとする課題】
【０００４】
このような方法では、基礎コンクリート等の建物躯体やベースプレートなどの施工精度が非常に重要となる。柱等のディテールによっては、これらの誤差がほぼゼロの状態でないと柱を所定箇所に施工できない場合もあり、作業が難しかった。
【０００５】
本発明は、前述した問題点に鑑みてなされたもので、その目的は、柱材と建物躯体とを容易に接合できる接合部の施工方法を提供することである。
【課題を解決するための手段】
【０００６】
前述した目的を達成するための第１の発明は、柱材と建物の躯体との接合部の施工方法であって、前記躯体にベースプレートを設ける工程と、前記躯体に設けたベースプレートに、躯体側リブプレートを接合する工程と、前記柱材の端部に設けられた柱側リブプレートを前記躯体側リブプレートに重ねて配置する工程と、前記躯体側リブプレートおよび前記柱側リブプレートの周囲にコンクリートを打設する工程と、を具備し、前記柱側リブプレートはＬ字状の切欠きを有し、前記躯体側リブプレートは前記ベースプレート上に一対設けられ、前記躯体側リブプレートの間に棒材が通され、前記柱側リブプレートを配置する際、前記棒材が前記柱側リブプレートの切欠き内に配置されることを特徴とする接合部の施工方法である。
【０００７】
本発明では、ベースプレートの躯体への設置後、柱材の取付用の躯体側リブプレートを後施工により取り付けるので、躯体側リブプレートの位置調整が後から可能となり、ベースプレート等の施工誤差を一旦解消して正規の位置で柱材の接合を行うことが可能になる。
【０００８】
本発明において、前記柱側リブプレートはＬ字状の切欠きを有し、前記躯体側リブプレートは前記ベースプレート上に一対設けられ、前記躯体側リブプレートの間に棒材が通され、前記柱側リブプレートを配置する際、前記棒材が前記柱側リブプレートの切欠き内に配置されるが、前記柱側リブプレートを配置した後、前記柱材の位置が調整されることが望ましい。
【０００９】
本発明では、柱側リブプレートに切欠きを設け、躯体側リブプレート間の棒材がこの切欠き内に位置するように柱材の配置を行う。切欠きがＬ字状であることにより、多少の精度誤差があっても柱材の配置ができ、位置調整も容易である。
【００１０】
また、前記躯体は凹部を有し、前記躯体にベースプレートを設ける際、前記凹部の上方で前記ベースプレートを所定の高さに調整した後、前記ベースプレートと前記凹部の間に充填材を充填することが望ましい。
躯体に凹部を形成し、凹部の上方でベースプレートのレベル調整を行った後、ベースプレートと凹部の間に充填材を充填することにより、躯体の施工誤差を一旦解消してベースプレートの取付けを行い、ベースプレートの施工精度を向上させることができる。
【００１１】
第２の発明は、柱材と建物の躯体との接合部構造であって、前記躯体にベースプレートが設けられ、前記躯体に設けたベースプレートに、躯体側リブプレートが接合され、前記柱材の端部に設けられた柱側リブプレートが前記躯体側リブプレートに重ねて配置され、前記躯体側リブプレートおよび前記柱側リブプレートの周囲にコンクリートが打設され、前記柱側リブプレートはＬ字状の切欠きを有し、前記躯体側リブプレートは前記ベースプレート上に一対設けられ、前記躯体側リブプレートの間に棒材が通され、前記棒材が前記柱側リブプレートの切欠き内に配置されたことを特徴とする接合部構造である。
【発明の効果】
【００１２】
本発明によれば、柱材と建物躯体とを容易に接合できる接合部の施工方法を提供できる。
【図面の簡単な説明】
【００１３】
【図１】ベースプレート７の固定について示す図
【図２】リブプレート１７の取付けについて示す図
【図３】柱２３の下端部付近を示す図
【図４】柱２３の下端部付近を示す図
【図５】柱２３の上端部付近を示す図
【図６】切欠き２９１ａを示す図
【図７】根巻きコンクリート３５の打設について示す図
【発明を実施するための形態】
【００１４】
以下、図面に基づいて本発明の実施形態を詳細に説明する。
【００１５】
図１〜図７は、本発明に係る接合部の施工方法の実施形態について説明する図である。本発明の施工方法は、柱材と建物の躯体の接合部の施工を行うものである。
【００１６】
本実施形態では、図１（ａ）に示すように、建物躯体１が上面に凹部５を有する状態で構築される。建物躯体１はコンクリート等により構築され、ベースプレート取付用のアンカーボルト９がコンクリートに埋設される。アンカーボルト９の上端部は凹部５から突出している。
【００１７】
図１（ｂ）に示すように、ベースプレート７の孔（不図示）にアンカーボルト９の突出部分を通し、凹部５の上方でベースプレート７のレベル調整を行い所定の高さとした後、ナット１１等によりベースプレート７をアンカーボルト９に取付け、固定する。
【００１８】
凹部５はベースプレート７のレベル調整用に設けられる。すなわち、建物躯体１の施工誤差により建物躯体１の上面がベースプレート７の設置予定位置より上となった場合でも、ベースプレート７を凹部５内に配置して設置予定位置に据え付けることができる。ベースプレート７の上面には、後述するリブプレートの接合位置を示すための墨出しを行う。
【００１９】
ベースプレート７の取付けを行った後、図１（ｃ）に示すようにベースプレート７と凹部５の間に充填材として無収縮モルタル１３を充填する。こうしてベースプレート７が建物躯体１に設けられる。
【００２０】
次に、図２（ａ）に示すように、ベースプレート７の上面にリブプレート１７（躯体側リブプレート）の下辺を現場溶接によって接合する。図２（ｂ）は図２（ａ）を側方から見た図である。
【００２１】
本実施形態では、一対のリブプレート１７が所定の間隔をおいて平行に設けられ、これらのリブプレート１７の間に水平方向のボルト１７１（棒材）が通される。ボルト１７１には例えばハイテンションボルトが用いられる。リブプレート１７の側面には補強プレート１７３が設けられ、補強プレート１７３の下辺も溶接によりベースプレート７の上面に接合される。
【００２２】
本実施形態では、このリブプレート１７に柱（柱材）が取付けられる。図３（ａ）は柱２３の下端部付近を示す図であり、図３（ｂ）は図３（ａ）を右側方から見た図である。
【００２３】
柱２３は例えば矩形断面の集成材であり、下端部には柱脚キャップ２５が取付けられる。柱脚キャップ２５の下面には、リブプレート２９（柱側リブプレート）とアンカーボルト３３が突出するように設けられる。リブプレート２９はＬ字状の切欠き２９１を下端部に有する。本実施形態では、切欠き２９１のＬ字の二辺が柱２３の軸方向および柱２３の軸方向と直交する方向にそれぞれ対応しているが、これに限ることはない。なお、アンカーボルト３３はリブプレート２９を挟むように２本設けられる。
【００２４】
図４（ａ）に示すように、柱２３は、下端部のリブプレート２９を建物躯体１側のリブプレート１７に重ねるようにして斜め方向に配置される。図４（ｂ）は図４（ａ）を右側方から見た図である。
【００２５】
この時、一対のリブプレート１７の間にリブプレート２９を挿入し、切欠き２９１内の隅部にボルト１７１を配置してリブプレート２９を係止させ、柱２３の重量をボルト１７１に預ける。
【００２６】
本実施形態では、図５に示すように柱２３の上端部に柱頭キャップ４３が設けられており、柱頭キャップ４３と屋根架構４１のフレーム４５が接続される。屋根架構４１の施工誤差等に応じて屋根架構全体の位置が調整されるが、屋根架構４１の位置調整等に伴って柱２３の位置も調整される。すなわち、柱２３が鉛直面内で移動（柱２３の軸方向やこれと直交する方向の移動（図４の矢印Ａ、Ｂ参照））でき、これにより柱２３の位置調整を行うことができる。位置調整後、リブプレート１７、２９は溶接により接合される。
【００２７】
本実施形態では、切欠き２９１がＬ字状なので、多少の精度誤差があっても前記したように切欠き２９１をボルト１７１に預けて柱２３を配置でき、また鉛直面内の移動の制限も小さいので前記した位置調整も容易である。一方、例えば図６に示すように切欠き２９１ａが溝状（Ｖ字状）の場合、ボルト１７１によりリブプレート２９（柱２３）の配置が限定され、建物躯体１、ベースプレート７、リブプレート１７、屋根架構４１等に施工誤差があると、ボルト１７１が切欠き２９１ａ内に位置するように柱２３を配置し両端部を建物躯体１と屋根架構４１に取付けることが困難になる。
【００２８】
本実施形態では、最後に、図７に示すように柱２３と建物躯体１の接合部に根巻きコンクリート３５を打設する。根巻きコンクリート３５は、型枠（不図示）を配置して建物躯体１側のベースプレート７、リブプレート１７および柱２３側のリブプレート２９、アンカーボルト３３等の周囲に打設され、これらが根巻きコンクリート３５に埋設される。
【００２９】
このように、本実施形態では、ベースプレート７の建物躯体１への設置後、柱２３の取付用のリブプレート１７を後施工により取り付けるので、リブプレート１７の位置調整が後から可能となり、ベースプレート７等の施工誤差を一旦解消して正規の位置で柱２３の接合を行うことが可能になる。
【００３０】
また、本実施形態では、柱２３側のリブプレート２９に切欠き２９１を設け、建物躯体１側のリブプレート１７間のボルト１７１がこの切欠き２９１内に位置するように柱２３の配置を行うが、切欠き２９１がＬ字状であることにより、多少の精度誤差があっても柱２３の配置ができ、位置調整も容易である。
【００３１】
また建物躯体１の上面に凹部５を形成し、凹部５の上方でベースプレート７の高さ調整を行った後、ベースプレート７と凹部５の間に充填材として無収縮モルタル１３を充填することにより、建物躯体１の施工誤差を一旦解消してベースプレート７の取付けを行い、ベースプレート７の施工精度を向上させることができる。
【００３２】
しかしながら、本発明はこれに限らない。例えば本実施形態では柱２３の上端部を屋根架構４１に接続しているが、これに限ることはない。また柱２３の接合対象となる建物躯体１も特に限定されず、建物の中階のスラブや基礎コンクリートなどに本発明の施工方法を適用して柱２３の接合を行うことができる。また柱２３の材質や断面形状なども特に限定されない。
【００３３】
以上、添付図を参照しながら、本発明の実施形態を説明したが、本発明の技術的範囲は、前述した実施形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００３４】
１………建物躯体
５………凹部
７………ベースプレート
９、３３………アンカーボルト
１３………無収縮モルタル
１７、２９………リブプレート
２３………柱
２５………柱脚キャップ
３５………根巻きコンクリート
１７１………ボルト
２９１、２９１ａ………切欠き
【図１】
0006531032.tif 000002
【図２】
0006531032.tif 000003
【図３】
0006531032.tif 000004
【図４】
0006531032.tif 000005
【図５】
0006531032.tif 000006
【図６】
0006531032.tif 000007
【図７】
0006531032.tif 000008